(57)【要約】【課題】電源投入時に閾値を正しく設定することができるヒステリシス付きコンパレータを提供する。【解決手段】設定部１２０は、電源投入時に比較器１１０に対して第１閾値と第２閾値との間の初期閾値を設定し、比較器１１０における入力信号と初期閾値との比較結果を取得する。また、設定部１２０は、入力信号が初期閾値よりも小さい場合は比較器１１０の閾値を第１閾値に設定し、入力信号が初期閾値よりも大きい場合は比較器１１０の閾値を第２閾値に設定する。これにより、電源投入時に比較器１１０に閾値を正しく設定することができる。【選択図】図２
2019009525.tif 000002
【特許請求の範囲】
【請求項１】
入力信号に応じて第１閾値と前記第１閾値よりも小さい第２閾値とを交互に切り替え、前記切り替えによって設定された前記第１閾値または前記第２閾値と前記入力信号とを比較し、その比較結果に応じた出力を発生させる比較器（１１０）と、
前記比較器に対する電源投入時に前記比較器に前記第１閾値及び前記第２閾値のいずれか一方を設定する設定部（１２０）と、
を備え、
前記設定部は、前記電源投入時に前記比較器に対して前記第１閾値と前記第２閾値との間の初期閾値を設定し、前記比較器における前記入力信号と前記初期閾値との比較結果を取得し、前記入力信号が前記初期閾値よりも小さい場合は前記比較器の閾値を前記第１閾値に設定し、前記入力信号が初期閾値よりも大きい場合は前記比較器の閾値を前記第２閾値に設定するヒステリシス付きコンパレータ。
【発明の詳細な説明】
【技術分野】
【０００１】
本発明は、ヒステリシス付きコンパレータに関する。
【背景技術】
【０００２】
従来より、第１閾値と第２閾値との２つの閾値を持つヒステリシス付きコンパレータが、例えば特許文献１で提案されている。ヒステリシスは第１閾値−第２閾値となる。
【先行技術文献】
【特許文献】
【０００３】
【特許文献１】特開２００８−１０３９９５号公報
【発明の概要】
【発明が解決しようとする課題】
【０００４】
しかしながら、コンパレータに電源を投入した直後では、コンパレータの閾値が第１閾値、第２閾値、あるいは成り行きのいずれかになる。このため、電源投入後にどの閾値でコンパレータが立ち上がるかによって、コンパレータが正常に動作する場合と、誤って動作する場合とがある。
【０００５】
本発明は上記点に鑑み、電源投入時に閾値を正しく設定することができるヒステリシス付きコンパレータを提供することを目的とする。
【課題を解決するための手段】
【０００６】
上記目的を達成するため、請求項１に記載の発明では、ヒステリシス付きコンパレータは、入力信号に応じて第１閾値と第１閾値よりも小さい第２閾値とを交互に切り替え、切り替えによって設定された第１閾値または第２閾値と入力信号とを比較し、その比較結果に応じた出力を発生させる比較器（１１０）を備えている。
【０００７】
また、ヒステリシス付きコンパレータは、比較器に対する電源投入時に比較器に第１閾値及び第２閾値のいずれか一方を設定する設定部（１２０）を備えている。
【０００８】
設定部は、電源投入時に比較器に対して第１閾値と第２閾値との間の初期閾値を設定し、比較器における入力信号と初期閾値との比較結果を取得し、入力信号が初期閾値よりも小さい場合は比較器の閾値を第１閾値に設定し、入力信号が初期閾値よりも大きい場合は比較器の閾値を第２閾値に設定する。
【０００９】
これによると、設定部は、電源投入時に初期閾値に基づいて入力信号に応じた適切な閾値を選択する。したがって、電源投入時に比較器に閾値を正しく設定することができる。
【００１０】
なお、この欄及び特許請求の範囲で記載した各手段の括弧内の符号は、後述する実施形態に記載の具体的手段との対応関係を示すものである。
【図面の簡単な説明】
【００１１】
【図１】本発明の一実施形態に係るヒステリシス付きコンパレータの回路構成を示した図である。
【図２】電源投入時に比較器に閾値を設定する内容を示した図である。
【図３】比較例として、閾値が誤って設定される内容を示した図である。
【発明を実施するための形態】
【００１２】
以下、本発明の一実施形態について図を参照して説明する。図１に示されるように、ヒステリシス付きコンパレータ１００は、比較器１１０及び設定部１２０を備えている。
【００１３】
比較器１１０は、閾値と入力信号とを比較し、その比較結果に応じた出力を発生させる。比較器１１０は、第１閾値と第１閾値よりも小さい第２閾値との２閾値を有している。比較器１１０は、入力信号に応じて第１閾値と第２閾値とを交互に切り替え、切り替えによって設定された第１閾値または第２閾値と入力信号とを比較する。
【００１４】
設定部１２０は、比較器１１０に対する電源投入時に比較器１１０に第１閾値及び第２閾値のいずれか一方を設定する。設定部１２０は、比較器１１０に対する電源投入時に動作し、比較器１１０に閾値を設定した後は動作しない。
【００１５】
設定部１２０は、タイマ１２１及びロジック回路１２２を有している。タイマ１２１は、電源投入時に一定時間を計る。電源投入後、一定時間、ヒステリシス付きコンパレータ１００は出力をしないので、タイマ１２１は一定時間内に比較器１１０の閾値を設定するための時間を計る。
【００１６】
ロジック回路１２２は、電源投入時に比較器１１０の閾値を設定するためのロジック動作を行う。このため、ロジック回路１２２は、第１閾値と第２閾値との間の初期閾値を有している。初期閾値は、電源投入時の比較器１１０の閾値の設定時に用いられ、通常動作では用いられない。初期閾値は、比較器１１０への入力信号に応じて予め決められている。以上が、ヒステリシス付きコンパレータ１００の構成である。
【００１７】
次に、ヒステリシス付きコンパレータ１００への電源投入時における閾値の設定方法について説明する。図２に示されるように、比較器１１０には入力信号が入力されるとする。  ヒステリシス付きコンパレータ１００への電源投入時に、タイマ１２１は一定時間を計り始める。ロジック回路１２２は、リセット状態からリセット解除となる。また、ロジック回路１２２は、リセット解除後にロジック動作を開始する。
【００１８】
まず、ロジック回路１２２は、比較器１１０に初期閾値を設定する。これにより、比較器１１０は、現在の入力信号の値と初期閾値とを比較し、その比較結果を出力する。ロジック回路１２２は、当該比較結果を取得する。
【００１９】
そして、入力信号が初期閾値よりも小さい場合、ロジック回路１２２は比較器１１０の閾値を第１閾値に設定する。一方、入力信号が初期閾値よりも大きい場合、ロジック回路１２２は比較器１１０の閾値を第２閾値に設定する。このように、ロジック回路１２２は、入力信号と初期閾値との大小関係から第１閾値または第２閾値を選択する。ロジック回路１２２は、タイマ１２１によって一定時間が計られる間に第１閾値または第２閾値の設定を完了させる。
【００２０】
この後、ヒステリシス付きコンパレータ１００は比較器１１０に設定された第１閾値または第２閾値と入力信号との比較結果を随時出力する。比較器１１０は、入力信号が第２閾値を下回ったとき、閾値を第２閾値から第１閾値に切り替える。また、比較器１１０は、入力信号が第１閾値を上回ったとき、閾値を第１閾値から第２閾値に切り替える。電源投入時に適切な閾値が設定されているので、誤動作することはない。
【００２１】
比較例として、図３に示されるように、電源投入時の閾値が第２閾値に設定される場合、比較器１１０の出力はＨｉとなるはずである。しかし、電源投入時に第２閾値に設定されるべきところに第１閾値が設定された場合、比較器１１０の出力はＬｏとなり、入力信号が第１閾値を上回ったときに閾値が第２閾値に切り替わる。
【００２２】
また、電源投入時の閾値が第１閾値に設定される場合、比較器１１０の出力はＬｏとなるはずである。しかし、電源投入時に第１閾値に設定されるべきところに第１閾値が設定された場合、比較器１１０の出力はＨｉとなり、入力信号が第１閾値を下回ったときに閾値が第２閾値に切り替わる。このように、電源投入時に閾値が適切に設定されないと、比較器１１０が誤動作を起こしてしまう。
【００２３】
これに対し、本実施形態では、ヒステリシス付きコンパレータ１００への電源投入時に、ロジック回路１２２が比較器１１０に初期閾値を設定しているので、入力信号に応じた適切な閾値を選択することができる。このため、電源投入時に比較器１１０に閾値を正しく設定することができる。したがって、比較器１１０を正常に動作させることができる。
【００２４】
（他の実施形態）
上記各実施形態で示されたヒステリシス付きコンパレータ１００の構成は一例であり、上記で示した構成に限定されることなく、本発明を実現できる他の構成とすることもできる。例えば、ロジック回路１２２の回路構成は上記の処理を実行できる他の構成でも構わない。
【符号の説明】
【００２５】
１００  ヒステリシス付きコンパレータ
１１０  比較器
１２０  設定部
【図１】
2019009525.tif 000003
【図２】
2019009525.tif 000004
【図３】
2019009525.tif 000005